(57)【要約】  【課題】  排水口からの異臭の消臭作用が得られるだけでなく、排水口直下に設けられるごみ受け籠内のごみの処理を行いやすく、しかも、小型化・軽量化と共に製造コストの低減を図ることもできる蓋を提供すること。  【解決手段】  流しの排水口６を覆って密閉するシート状の蓋本体７と、消臭作用または防臭作用または殺菌作用またはぬめり除去作用の一以上の作用を有する薬剤８を収納し、前記蓋本体７の裏側に着脱自在に取り付けられる通気性を有する薬剤収納部材９とを備えた。  【選択図】  図１
2006274785.tif 000002
【特許請求の範囲】
【請求項１】
流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備えたことを特徴とする蓋。
【請求項２】
前記蓋本体全体が、排水口の周縁に密着する程度の軟質性を有している請求項１に記載の蓋。
【請求項３】
前記蓋本体の周縁部に、排水口の周縁に密着する程度の軟質性を有するシール部材が設けられている請求項１に記載の蓋。
【請求項４】
前記蓋本体が、バイオフィルムの形成を阻害する薬剤又は抗菌作用を有する薬剤を含有するように形成されている請求項１〜３のいずれかに記載の蓋。
【請求項５】
前記蓋本体に、下方に開口しその開口が内部よりも狭まっているポケット部が設けられ、このポケット部に前記薬剤収納部材が取り付けられる請求項１〜４のいずれかに記載の蓋。
【発明の詳細な説明】
【技術分野】
【０００１】
この発明は、流しの排水口に用いられる蓋に関する。
【背景技術】
【０００２】
従来より、流しに水（湯または混合水も含む）を溜めること、あるいは、流しの排水口に設置されるごみ受け籠に付着したごみ等や下水からの異臭が外部に漏れないようにすることを目的として、流しの排水口を適宜に覆うことができるように構成された蓋が用いられている。
【発明の開示】
【発明が解決しようとする課題】
【０００３】
ところで、前記異臭を消すために市販の消臭剤が使用されているが、市販の消臭剤は前記ごみ受け籠等に設置する必要があった。そのため、ごみ受け籠内にたまったごみを処理するには、ごみ受け籠に設置した消臭剤を取り外すなどの作業が必要となり、手間がかかるという問題があった。
【０００４】
そこで、本願出願人は、この出願に先立って、消臭作用を有する薬剤を収納し通気性を有する薬剤収納部材を、蓋本体の裏側に着脱自在に取り付けるようにした蓋を提案している（特願２００３−３４３２３４号）。この蓋では、ごみ受け籠内のごみを処理する場合、蓋を排水口から取り外すことによりこの蓋に装着した薬剤収納部材も同時に取り外されることになるので、上記のように手間がかかるという問題がない。
【０００５】
しかし、本願出願人は、鋭意研究の結果、小型化・軽量化および製造コストの低減を図る上でさらに好ましい蓋を得るに至った。
【０００６】
この発明は上述の事柄に留意してなされたもので、その目的は、排水口からの異臭の消臭作用が得られるだけでなく、排水口直下に設けられるごみ受け籠内のごみの処理を行いやすく、しかも、小型化・軽量化と共に製造コストの低減を図ることもできる蓋を提供することである。
【課題を解決するための手段】
【０００７】
上記目的を達成するために、この発明の蓋は、流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備えたことを特徴としている（請求項１）。
【０００８】
また、前記蓋本体全体が、排水口の周縁に密着する程度の軟質性を有していてもよく（請求項２）、前記蓋本体の周縁部に、排水口の周縁に密着する程度の軟質性を有するシール部材が設けられていてもよい（請求項３）。
【０００９】
さらに、前記蓋本体が、バイオフィルムの形成を阻害する薬剤又は抗菌作用を有する薬剤を含有するように形成されていてもよい（請求項４）。
【００１０】
また、前記蓋本体に、下方に開口しその開口が内部よりも狭まっているポケット部が設けられ、このポケット部に前記薬剤収納部材が取り付けられる構造となっていてもよい（請求項５）。
【発明の効果】
【００１１】
請求項１〜５に係る発明では、排水口を覆った状態とすると、排水口からの異臭の消臭作用を発揮する蓋が得られる。すなわち、本発明の蓋によって前記排水口を覆うと、流しに水（湯または混合水も含む）を溜めることができ、流しに水を溜めればその水の重み（水圧）により蓋本体が排水口周縁により密着することとなる。そして、蓋によって排水口を覆ったときには、流しの排水口の直下に設置されるごみ受け籠に付着したごみ等や下水からの異臭が外部に漏れないようにすることができる。
【００１２】
また、前記薬剤が消臭作用を有している場合には以下の効果が得られる。すなわち、前記蓋は、薬剤を収納した薬剤収納部材を裏面側（下面側）に備えているので、この薬剤により前記異臭を消すことができ、しかも、蓋本体が排水口を密閉するので、薬剤の消臭機能が排水口の直下近傍における空間で集中的に発揮され、これにより、薬剤による消臭が非常に効果的に行われることになる。また、前記薬剤が防臭作用、殺菌作用またはぬめり除去作用を有している場合にも、それらの作用（機能）が上記消臭作用と同様に効果的に発揮されることとなる。
【００１３】
しかも、上記本発明の蓋では、蓋本体に前記薬剤を収納した薬剤収納部材が装着されるので、前記蓋本体と薬剤等を一体的に扱うことができ、排水口直下に設けられるごみ受け籠内のごみの処理を行うときに、前記薬剤をごみ受け籠から取り出した後にごみ受け籠のごみを捨てるなどの余分な手間がかかるという問題がなく、前記蓋が流しにおける作業の邪魔になるということもない。さらに、蓋本体はシンプルな構造であるシート状となっているので、小型化・軽量化と共に製造コストの低減を図ることもできる。
【００１４】
また、薬剤収納部材は蓋本体に対して着脱自在となっているので、前記薬剤の寿命が尽きた場合には、その薬剤を収納した薬剤収納部材を、新しい薬剤を収納した薬剤収納部材に交換すればよく、これにより、蓋本体は交換せずに長期間使用することができる。
【００１５】
また、請求項４に係る発明では、ヌメリが発生して蓋本体に付着することを確実に防止することができる。
【００１６】
また、請求項５に係る発明では、上記の効果の他、特に、薬剤収納部材の交換が容易で非常に簡便な構造の蓋が得られる。
【発明を実施するための最良の形態】
【００１７】
図１は、この発明の第１の実施の形態に係る蓋１の構成を概略的に示す分解斜視図、図２および図３は、前記蓋１の構成を概略的に示す説明図および底面図である。まず、図１および図２において、２は菊割れ蓋であり、この菊割れ蓋２は、環状枠部３と、平面視円形の底部４とを有し、底部４は、環状枠部３の内周面に連設された複数の菊割れ舌片５によって構成されている。そして、菊割れ蓋２は流しの排水口６に着脱自在に設置され、排水口６の直下には、図２に示すように、メッシュ状のごみ受け籠Ｇが着脱自在に設置されている。なお、図２において、Ｃはごみ受け籠Ｇを着脱自在に収容し下流側が排水パイプに接続されるごみ受け籠収容容器であり、このごみ受け籠収容容器Ｃの上端部に菊割れ蓋２が着脱自在に設置される前記排水口６が形成されている。
【００１８】
そして、図１〜図３に示すように、前記蓋１は、排水口６を菊割れ蓋２ごと覆って密閉するシート状の蓋本体７と、消臭作用を有する薬剤８を収納し、前記蓋本体７の裏側に着脱自在に取り付けられる通気性を有する薬剤収納部材９とを備えている。
【００１９】
前記蓋本体７は、軟質材料（例えばポリプロピレン等の合成樹脂）を主体としてなる平面視ほぼ円形状の部材で、前記排水口６の周縁に確実に密着する程度の軟質性および弾力性（可撓性）を有しており、直径が約１８０ｍｍ程度となっている。そして、蓋本体７の表面の適宜の位置には把手１０が設けられており、裏面には薬剤収納部材９を着脱自在に保持するための保持部としての複数（この実施の形態では四つ）の爪１１が設けられている。なお、各爪１１は、縦断面ほぼＬ字形状をしている。また、蓋本体７は、自然状態では、その中央部が盛り上がるように（いわゆるコンタクトレンズの形状に近い形状となるように）構成されており、かつ、中央部が端部よりも若干厚くなっている。
【００２０】
前記薬剤８は、前記菊割れ蓋２やごみ受け籠に付着したごみや下水からの異臭を消す消臭作用を有し、０．５〜２０ｍｍ（例えば４ｍｍ程度）の粒径を有する粒状をしている。そして、この実施の形態では、前記薬剤８として、東亜合成株式会社製のケスモン（商標）が用いられている。なお、薬剤８は、粒状のものに限られず、粉状であってもよい。
【００２１】
前記薬剤収納部材９は、不織布よりなる袋状でスティックタイプの部材であり、蓋本体７の爪１１に着脱自在に保持される。
【００２２】
そして、上記のように構成された蓋１によって前記排水口６を覆うと、流しに水（湯または混合水も含む）を溜めることができ、流しに水を溜めればその水の重み（水圧）により排水口６周縁により密着することとなる。また、蓋１によって排水口６を覆ったときには、流しの排水口６の直下に設置されるごみ受け籠に付着したごみ等や下水からの異臭が外部に漏れないようにすることができる。さらに、前記蓋１は、薬剤８を収納した薬剤収納部材９を裏面側（下面側）に備えているので、この薬剤８により前記異臭を消すことができ、しかも、蓋本体７が排水口６を密閉するので、薬剤８の消臭機能が排水口６の直下近傍における空間で集中的に発揮され、これにより、薬剤８による消臭が非常に効果的に行われることになる。
【００２３】
また、一般的に市販されている塩素系消臭剤は、例えばごみ受け籠内に載置されて使用される。そして、当該薬剤から発生した塩素ガスにより排水口の異臭を消すが、発生する塩素ガスはゴム製の菊割れ蓋の劣化の原因の一つになるおそれがあり、また、前記塩素ガスによりその使用者等の健康上の問題も生じる。しかし、この実施の形態で薬剤８として用いる上記ケスモン（商標）は、異臭を吸着により消す無機系の消臭剤であり、上記塩素系消臭剤のように塩素ガスを発生させないので、ゴム製の菊割れ蓋を劣化させたり、その使用者等の健康を害することもなく、安全性が高い。
【００２４】
さらに、前記蓋１はコンパクトな構成となっているので、その保管のためのスペースが小さくてよく、そのうえ、保管時に、例えば流しの近傍等にある壁に密着させ、その壁と蓋本体７とで薬剤収納部材９をほぼ密閉した状態とすれば、薬剤８が余計な消臭を行わなくなるので必然的に薬剤８の長寿命化を図ることができる。なお、上記密閉を行うためには、蓋本体７が、前記薬剤収納部材９を覆った状態で壁に密着させることができる程度にその中央部が周縁部よりも盛り上がった形状となっていればよい。
【００２５】
また、薬剤収納部材９は蓋本体７に対して着脱自在となっているので、薬剤８の寿命が尽きた場合には、その薬剤８を収納した薬剤収納部材９を、新しい薬剤８を収納した薬剤収納部材９に交換すればよく、これにより、蓋本体７は交換せずに長期間使用することができる。
【００２６】
なお、本発明は、上記の実施の形態に限られず、種々に変形して実施することができる。例えば、上記の実施の形態では、蓋本体７の直径を約１８０ｍｍとしているが、蓋本体７の大きさは排水口６の大きさ等に応じて適宜に設定すればよい。
【００２７】
また、前記蓋本体７は平面視円形状に限られず、例えば平面視が楕円形状や矩形状等となるように構成されていてもよい。
【００２８】
さらに、前記蓋本体７が、バイオフィルムの形成を阻害する薬剤を含有するように形成されていてもよい。ここで、バイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名：イヌイ株式会社製）があり、これは有害なガスを発生することがなく人体に対しては安全性が高い。このバイオフィルムの形成を阻害する薬剤は、第４アンモニウム塩を主たる成分としている。
【００２９】
ここで、蓋本体７に前記バイオフィルムの形成を阻害する薬剤を添加する場合、その添加量（含有量）は例えば１〜３重量％とすることが好ましい。これは、前記薬剤の添加量が１重量％よりも少ないとバイオフィルムの形成を阻害する効果が低下し易くなり、３重量％よりも多いと蓋本体７の主たる材料に前記薬剤を均一に混合するのが困難となるためである。
【００３０】
また、上述したバイオフィルムの形成を阻害する薬剤の代わりに、前記蓋本体７が抗菌作用を有する薬剤を含有するように形成されていてもよい。前記抗菌作用を有する薬剤としては、例えば、東亜合成株式会社製のカビノン（商標）を用いることができる。これは、イソチアゾリン系有機剤とシリカ系無機剤のハイブリッド（複合）材料を含むものである。
【００３１】
また、蓋本体７に前記抗菌作用を有する薬剤を添加する場合、その添加量（含有量）は例えば２〜１０重量％とすることが好ましい。これは、前記薬剤の添加量が２重量％よりも少ないと抗菌効果が低下し易くなり、１０重量％よりも多いと蓋本体７の主たる材料に前記薬剤を均一に混合するのが困難となるためである。
【００３２】
また、上記の実施の形態では、前記蓋本体７全体を軟質を主体とする材料によって形成していたが、蓋１を図４に示すように構成してもよい。すなわち、図４は前記蓋１の変形例の構成を概略的に示す斜視図であり、この図に示すように、蓋本体７全体を硬質材料で形成し、蓋本体７の周縁に軟質を主体とする環状のシール部材１２を取り付けてもよい。ここで、シール部材１２は、前記排水口６の周縁に確実に密着する程度の軟質性を有しており、また、蓋本体７に対して着脱自在であっても一体的に形成されていてもよい。そして、シール部材１２は、蓋本体７の周縁部の裏面のみに取り付けられるように構成してあってもよい。
【００３３】
また、前記薬剤８には、消臭作用を有するケスモン（商標）に限られず、種々の成分のものを有するものを用いることができる。この場合、薬剤８は、消臭作用または防臭作用または殺菌作用またはぬめり除去作用の一以上の作用を有していることが望ましい。
【００３４】
また、上記の実施の形態では、薬剤収納部材９を着脱自在に保持する手段として蓋本体７に縦断面ほぼＬ字形状の爪１１を設けていたが、このような構成に限られず、蓋１を図５に示すように構成してもよい。すなわち、図５は前記蓋１の他の変形例の裏面側の構成を概略的に示す斜視図であり、この図に示すように、前記爪１１に代えて、縦断面ほぼコ字形状の保持部１３を複数（図示例では三つ）設け、薬剤収納部材９をスライドによって各保持部１３に着脱自在に保持させるようにしてもよい。もちろん、薬剤収納部材９を保持する手段は、蓋本体７の裏面側からみて突出した形状（爪１１、保持部１３）に限られるものではない。
【００３５】
また、上記の実施の形態では、薬剤収納部材９を不織布よりなる袋状の部材としていたが、例えば、硬質材料（合成樹脂等）よりなるケースによって薬剤収納部材９を構成し、薬剤収納部材９をいわゆるカートリッジ（カプセル）タイプとしてもよい。この場合、薬剤収納部材９に保持させた薬剤８に消臭機能を確実に発揮させるために、薬剤収納部材９に通気用の穴を設け、また、この穴は薬剤８を通過させない程度とする必要がある。
【００３６】
そして、上記のように薬剤収納部材９をカートリッジタイプとした場合、薬剤収納部材９を保持する手段として、蓋本体７の裏面側からみて凹んだ凹入部（図示していない）を複数（例えば二つ）設けると共に、各凹入部に嵌め込み係止が可能な係止部を薬剤収納部材９に設けることによっても、薬剤収納部材９を蓋本体７に着脱自在とすることができる。また、前記凹入部を形成することにより蓋本体７の表面側に突出部（図示していない）が形成され、この突出部に前記把手１０としての機能を持たせることができるので、前記把手１０の形成が不要となる。
【００３７】
また、上記の実施の形態では、蓋本体７に装着する薬剤収納部材９を一つとしているが、これに限られず、複数の薬剤収納部材９を装着するように構成してもよい。
【００３８】
図６は、本発明の第２の実施の形態に係る蓋１４の構成を概略的に示す分解斜視図、図７および図８は、前記蓋１４の構成を概略的に示す説明図および底面図である。なお、図６〜図８に示す部材等のうち、図１〜図５において示したものと同一・同等のものについては、同じ符号を付しその説明を省略する。
【００３９】
前記蓋１４は、第１の実施の形態に係る蓋１と比べて、薬剤収納部材９を保持する手段が、前記爪１１ではなく、前記蓋本体７に設けられた下方に開口しその開口が内部よりも狭まっているポケット部１５（図６〜図８参照）である点と、前記把手１０に代えて、蓋本体７の周縁部に連設されたほぼ舌状の引張片１６を有している点とで異なる。
【００４０】
前記ポケット部１５は、図６〜図８に示すように、平面視ほぼ十字形状をしていると共に、蓋本体７の裏面側からみて凹んだ凹入部となっており、これに伴い、蓋本体７の表面側に突出部分が形成されている。
【００４１】
そして、前記ポケット部１５内に前記薬剤収納部材９が収容される。すなわち、薬剤収納部材９をポケット部１５内に挿入する際には、ポケット部１５の内側に延びる開口縁部１５ａが薬剤収納部材９により押し上げられて弾性変形し、これにより、ポケット部１５の開口幅が広くなって薬剤収納部材９のポケット部１５内への進入が可能となる。そして、薬剤収納部材９がポケット部１５内に収容された状態となると、その復元力により元の形状に戻った前記開口縁部１５ａが薬剤収納部材９を保持する状態となり、これにより、薬剤収納部材９のポケット部１５への取り付けが完了したこととなる。なお、薬剤収納部材９をポケット部１５から取り外すには、前記開口縁部１５ａの薬剤収納部材９を保持する力に抗して薬剤収納部材９をポケット部１５から引っ張りだすだけでよい。
【００４２】
前記引張片１６は、前記把手１０と同様に、排水口６に設置した蓋本体７を取り外すために引っ張られるものであり、その引っ張り操作を容易に行える形状となっている。
【００４３】
なお、蓋１４の他の構成等については第１の実施の形態に係る蓋１と同様であるため、その説明を省略する。
【００４４】
ここで、図６〜図８には、ポケット部１５に薬剤収納部材９を一つのみ収容した例を示しているが、複数の薬剤収納部材９をポケット部１５に収容してもよいことはもちろんである。
【００４５】
また、前記ポケット部１５の形状は、平面視ほぼ十字形状に限られず、例えば、平面視ほぼ一文字形状、ほぼ米字形状、ほぼ＊（ａｓｔｅｒｉｓｋ）記号形状、ほぼ♯（ｓｈａｒｐ）記号形状等であってもよい。さらに、ポケット部１５の数は一つに限られず二つ以上であってもよい。
【００４６】
また、前記ポケット部１５を設けることにより蓋本体７の表面側に形成される突出部分を掴みやすい形状とすれば、把手としての機能を持たせることができる。
【００４７】
また、第１の実施形態の蓋１に、把手１０に代えてあるいは把手１０に加えて、第２の実施形態の引張片１６を設けてもよく、第２の実施形態の蓋１４に、引張片１６に代えてあるいは引張片１６に加えて、第１の実施形態の把手１０を設けてもよい。このように、第１の実施形態の蓋１の構成と第２の実施形態の蓋１４の構成とを適宜に組み合わせることができる。
【図面の簡単な説明】
【００４８】
【図１】本発明の第１の実施の形態に係る蓋の構成を概略的に示す分解斜視図である。
【図２】前記蓋の構成を概略的に示す説明図である。
【図３】前記蓋の構成を概略的に示す底面図である。
【図４】前記蓋の変形例の構成を概略的に示す斜視図である。
【図５】前記蓋の他の変形例の裏面側の構成を概略的に示す斜視図である。
【図６】本発明の第２の実施の形態に係る蓋の構成を概略的に示す分解斜視図である。
【図７】前記蓋の構成を概略的に示す説明図である。
【図８】前記蓋の構成を概略的に示す底面図である。
【符号の説明】
【００４９】
１    蓋
６    排水口
７    蓋本体
８    薬剤
９    薬剤収納部材
【図１】
2006274785.tif 000003
【図２】
2006274785.tif 000004
【図３】
2006274785.tif 000005
【図４】
2006274785.tif 000006
【図５】
2006274785.tif 000007
【図６】
2006274785.tif 000008
【図７】
2006274785.tif 000009
【図８】
2006274785.tif 000010
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体全体が、排水口の周縁に密着する程度の軟質性を有し、壁に密着させた状態の蓋本体と当該壁とによって薬剤収納部材が密閉されるように構成したことを特徴とする蓋。
【請求項２】
流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体の周縁部に、排水口の周縁に密着する程度の軟質性を有するシール部材が設けられ、壁に密着させた状態の蓋本体と当該壁とによって薬剤収納部材が密閉されるように構成したことを特徴とする蓋。
【請求項３】
前記蓋本体が、バイオフィルムの形成を阻害する薬剤又は抗菌作用を有する薬剤を含有するように形成されている請求項１または２に記載の蓋。
【請求項４】
前記蓋本体に、下方に開口しその開口が内部よりも狭まっているポケット部が設けられ、このポケット部に前記薬剤収納部材が取り付けられる請求項１〜３のいずれかに記載の蓋。
【手続補正２】
【補正対象書類名】明細書
【補正対象項目名】全文
【補正方法】変更
【補正の内容】
【発明の詳細な説明】
【技術分野】
【０００１】
この発明は、流しの排水口に用いられる蓋に関する。
【背景技術】
【０００２】
従来より、流しに水（湯または混合水も含む）を溜めること、あるいは、流しの排水口に設置されるごみ受け籠に付着したごみ等や下水からの異臭が外部に漏れないようにすることを目的として、流しの排水口を適宜に覆うことができるように構成された蓋が用いられている。
【発明の開示】
【発明が解決しようとする課題】
【０００３】
ところで、前記異臭を消すために市販の消臭剤が使用されているが、市販の消臭剤は前記ごみ受け籠等に設置する必要があった。そのため、ごみ受け籠内にたまったごみを処理するには、ごみ受け籠に設置した消臭剤を取り外すなどの作業が必要となり、手間がかかるという問題があった。
【０００４】
そこで、本願出願人は、この出願に先立って、消臭作用を有する薬剤を収納し通気性を有する薬剤収納部材を、蓋本体の裏側に着脱自在に取り付けるようにした蓋を提案している（特願２００３−３４３２３４号（特開２００５−１０５７３７号））。この蓋では、ごみ受け籠内のごみを処理する場合、蓋を排水口から取り外すことによりこの蓋に装着した薬剤収納部材も同時に取り外されることになるので、上記のように手間がかかるという問題がない。
【０００５】
しかし、本願出願人は、鋭意研究の結果、小型化・軽量化および製造コストの低減を図る上でさらに好ましい蓋を得るに至った。
【０００６】
この発明は上述の事柄に留意してなされたもので、その目的は、排水口からの異臭の消臭作用が得られるだけでなく、排水口直下に設けられるごみ受け籠内のごみの処理を行いやすく、しかも、小型化・軽量化と共に製造コストの低減を図ることもできる蓋を提供することである。
【課題を解決するための手段】
【０００７】
上記目的を達成するために、この発明の蓋は、流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体全体が、排水口の周縁に密着する程度の軟質性を有し、壁に密着させた状態の蓋本体と当該壁とによって薬剤収納部材が密閉されるように構成したことを特徴としている（請求項１）。
【０００８】
また、上記目的を達成するために、この発明の蓋が、流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体の周縁部に、排水口の周縁に密着する程度の軟質性を有するシール部材が設けられ、壁に密着させた状態の蓋本体と当該壁とによって薬剤収納部材が密閉されるように構成したことを特徴としていてもよい（請求項２）。
【０００９】
さらに、前記蓋本体が、バイオフィルムの形成を阻害する薬剤又は抗菌作用を有する薬剤を含有するように形成されていてもよい（請求項３）。
【００１０】
また、前記蓋本体に、下方に開口しその開口が内部よりも狭まっているポケット部が設けられ、このポケット部に前記薬剤収納部材が取り付けられる構造となっていてもよい（請求項４）。
【発明の効果】
【００１１】
請求項１〜４に係る発明では、排水口を覆った状態とすると、排水口からの異臭の消臭作用を発揮する蓋が得られる。すなわち、本発明の蓋によって前記排水口を覆うと、流しに水（湯または混合水も含む）を溜めることができ、流しに水を溜めればその水の重み（水圧）により蓋本体が排水口周縁により密着することとなる。そして、蓋によって排水口を覆ったときには、流しの排水口の直下に設置されるごみ受け籠に付着したごみ等や下水からの異臭が外部に漏れないようにすることができる。
【００１２】
また、前記薬剤が消臭作用を有している場合には以下の効果が得られる。すなわち、前記蓋は、薬剤を収納した薬剤収納部材を裏面側（下面側）に備えているので、この薬剤により前記異臭を消すことができ、しかも、蓋本体が排水口を密閉するので、薬剤の消臭機能が排水口の直下近傍における空間で集中的に発揮され、これにより、薬剤による消臭が非常に効果的に行われることになる。また、前記薬剤が防臭作用、殺菌作用またはぬめり除去作用を有している場合にも、それらの作用（機能）が上記消臭作用と同様に効果的に発揮されることとなる。
【００１３】
しかも、上記本発明の蓋では、蓋本体に前記薬剤を収納した薬剤収納部材が装着されるので、前記蓋本体と薬剤等を一体的に扱うことができ、排水口直下に設けられるごみ受け籠内のごみの処理を行うときに、前記薬剤をごみ受け籠から取り出した後にごみ受け籠のごみを捨てるなどの余分な手間がかかるという問題がなく、前記蓋が流しにおける作業の邪魔になるということもない。さらに、蓋本体はシンプルな構造であるシート状となっているので、小型化・軽量化と共に製造コストの低減を図ることもできる。
【００１４】
また、薬剤収納部材は蓋本体に対して着脱自在となっているので、前記薬剤の寿命が尽きた場合には、その薬剤を収納した薬剤収納部材を、新しい薬剤を収納した薬剤収納部材に交換すればよく、これにより、蓋本体は交換せずに長期間使用することができる。そのうえ、保管時に、例えば流しの近傍等にある壁に密着させ、その壁と蓋本体とで薬剤収納部材をほぼ密閉した状態とすることができるので、保管の間に薬剤が余計な消臭を行わなくなり、必然的に薬剤の長寿命化を図ることができる。
【００１５】
また、請求項３に係る発明では、ヌメリが発生して蓋本体に付着することを確実に防止することができる。
【００１６】
また、請求項４に係る発明では、上記の効果の他、特に、薬剤収納部材の交換が容易で非常に簡便な構造の蓋が得られる。
【発明を実施するための最良の形態】
【００１７】
図１は、この発明の第１の実施の形態に係る蓋１の構成を概略的に示す分解斜視図、図２および図３は、前記蓋１の構成を概略的に示す説明図および底面図である。まず、図１および図２において、２は菊割れ蓋であり、この菊割れ蓋２は、環状枠部３と、平面視円形の底部４とを有し、底部４は、環状枠部３の内周面に連設された複数の菊割れ舌片５によって構成されている。そして、菊割れ蓋２は流しの排水口６に着脱自在に設置され、排水口６の直下には、図２に示すように、メッシュ状のごみ受け籠Ｇが着脱自在に設置されている。なお、図２において、Ｃはごみ受け籠Ｇを着脱自在に収容し下流側が排水パイプに接続されるごみ受け籠収容容器であり、このごみ受け籠収容容器Ｃの上端部に菊割れ蓋２が着脱自在に設置される前記排水口６が形成されている。
【００１８】
そして、図１〜図３に示すように、前記蓋１は、排水口６を菊割れ蓋２ごと覆って密閉するシート状の蓋本体７と、消臭作用を有する薬剤８を収納し、前記蓋本体７の裏側に着脱自在に取り付けられる通気性を有する薬剤収納部材９とを備えている。
【００１９】
前記蓋本体７は、軟質材料（例えばポリプロピレン等の合成樹脂）を主体としてなる平面視ほぼ円形状の部材で、前記排水口６の周縁に確実に密着する程度の軟質性および弾力性（可撓性）を有しており、直径が約１８０ｍｍ程度となっている。そして、蓋本体７の表面の適宜の位置には把手１０が設けられており、裏面には薬剤収納部材９を着脱自在に保持するための保持部としての複数（この実施の形態では四つ）の爪１１が設けられている。なお、各爪１１は、縦断面ほぼＬ字形状をしている。また、蓋本体７は、自然状態では、その中央部が盛り上がるように（いわゆるコンタクトレンズの形状に近い形状となるように）構成されており、かつ、中央部が端部よりも若干厚くなっている。
【００２０】
前記薬剤８は、前記菊割れ蓋２やごみ受け籠に付着したごみや下水からの異臭を消す消臭作用を有し、０．５〜２０ｍｍ（例えば４ｍｍ程度）の粒径を有する粒状をしている。そして、この実施の形態では、前記薬剤８として、東亜合成株式会社製のケスモン（商標）が用いられている。なお、薬剤８は、粒状のものに限られず、粉状であってもよい。
【００２１】
前記薬剤収納部材９は、不織布よりなる袋状でスティックタイプの部材であり、蓋本体７の爪１１に着脱自在に保持される。
【００２２】
そして、上記のように構成された蓋１によって前記排水口６を覆うと、流しに水（湯または混合水も含む）を溜めることができ、流しに水を溜めればその水の重み（水圧）により排水口６周縁により密着することとなる。また、蓋１によって排水口６を覆ったときには、流しの排水口６の直下に設置されるごみ受け籠に付着したごみ等や下水からの異臭が外部に漏れないようにすることができる。さらに、前記蓋１は、薬剤８を収納した薬剤収納部材９を裏面側（下面側）に備えているので、この薬剤８により前記異臭を消すことができ、しかも、蓋本体７が排水口６を密閉するので、薬剤８の消臭機能が排水口６の直下近傍における空間で集中的に発揮され、これにより、薬剤８による消臭が非常に効果的に行われることになる。
【００２３】
また、一般的に市販されている塩素系消臭剤は、例えばごみ受け籠内に載置されて使用される。そして、当該薬剤から発生した塩素ガスにより排水口の異臭を消すが、発生する塩素ガスはゴム製の菊割れ蓋の劣化の原因の一つになるおそれがあり、また、前記塩素ガスによりその使用者等の健康上の問題も生じる。しかし、この実施の形態で薬剤８として用いる上記ケスモン（商標）は、異臭を吸着により消す無機系の消臭剤であり、上記塩素系消臭剤のように塩素ガスを発生させないので、ゴム製の菊割れ蓋を劣化させたり、その使用者等の健康を害することもなく、安全性が高い。
【００２４】
さらに、前記蓋１はコンパクトな構成となっているので、その保管のためのスペースが小さくてよく、そのうえ、保管時に、例えば流しの近傍等にある壁に密着させ、その壁と蓋本体７とで薬剤収納部材９をほぼ密閉した状態とすれば、薬剤８が余計な消臭を行わなくなるので必然的に薬剤８の長寿命化を図ることができる。なお、上記密閉を行うためには、蓋本体７が、前記薬剤収納部材９を覆った状態で壁に密着させることができる程度にその中央部が周縁部よりも盛り上がった形状となっていればよい。
【００２５】
また、薬剤収納部材９は蓋本体７に対して着脱自在となっているので、薬剤８の寿命が尽きた場合には、その薬剤８を収納した薬剤収納部材９を、新しい薬剤８を収納した薬剤収納部材９に交換すればよく、これにより、蓋本体７は交換せずに長期間使用することができる。
【００２６】
なお、本発明は、上記の実施の形態に限られず、種々に変形して実施することができる。例えば、上記の実施の形態では、蓋本体７の直径を約１８０ｍｍとしているが、蓋本体７の大きさは排水口６の大きさ等に応じて適宜に設定すればよい。
【００２７】
また、前記蓋本体７は平面視円形状に限られず、例えば平面視が楕円形状や矩形状等となるように構成されていてもよい。
【００２８】
さらに、前記蓋本体７が、バイオフィルムの形成を阻害する薬剤を含有するように形成されていてもよい。ここで、バイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名：イヌイ株式会社製）があり、これは有害なガスを発生することがなく人体に対しては安全性が高い。このバイオフィルムの形成を阻害する薬剤は、第４アンモニウム塩を主たる成分としている。
【００２９】
ここで、蓋本体７に前記バイオフィルムの形成を阻害する薬剤を添加する場合、その添加量（含有量）は例えば１〜３重量％とすることが好ましい。これは、前記薬剤の添加量が１重量％よりも少ないとバイオフィルムの形成を阻害する効果が低下し易くなり、３重量％よりも多いと蓋本体７の主たる材料に前記薬剤を均一に混合するのが困難となるためである。
【００３０】
また、上述したバイオフィルムの形成を阻害する薬剤の代わりに、前記蓋本体７が抗菌作用を有する薬剤を含有するように形成されていてもよい。前記抗菌作用を有する薬剤としては、例えば、東亜合成株式会社製のカビノン（商標）を用いることができる。これは、イソチアゾリン系有機剤とシリカ系無機剤のハイブリッド（複合）材料を含むものである。
【００３１】
また、蓋本体７に前記抗菌作用を有する薬剤を添加する場合、その添加量（含有量）は例えば２〜１０重量％とすることが好ましい。これは、前記薬剤の添加量が２重量％よりも少ないと抗菌効果が低下し易くなり、１０重量％よりも多いと蓋本体７の主たる材料に前記薬剤を均一に混合するのが困難となるためである。
【００３２】
また、上記の実施の形態では、前記蓋本体７全体を軟質を主体とする材料によって形成していたが、蓋１を図４に示すように構成してもよい。すなわち、図４は前記蓋１の変形例の構成を概略的に示す斜視図であり、この図に示すように、蓋本体７全体を硬質材料で形成し、蓋本体７の周縁に軟質を主体とする環状のシール部材１２を取り付けてもよい。ここで、シール部材１２は、前記排水口６の周縁に確実に密着する程度の軟質性を有しており、また、蓋本体７に対して着脱自在であっても一体的に形成されていてもよい。そして、シール部材１２は、蓋本体７の周縁部の裏面のみに取り付けられるように構成してあってもよい。
【００３３】
また、前記薬剤８には、消臭作用を有するケスモン（商標）に限られず、種々の成分のものを有するものを用いることができる。この場合、薬剤８は、消臭作用または防臭作用または殺菌作用またはぬめり除去作用の一以上の作用を有していることが望ましい。
【００３４】
また、上記の実施の形態では、薬剤収納部材９を着脱自在に保持する手段として蓋本体７に縦断面ほぼＬ字形状の爪１１を設けていたが、このような構成に限られず、蓋１を図５に示すように構成してもよい。すなわち、図５は前記蓋１の他の変形例の裏面側の構成を概略的に示す斜視図であり、この図に示すように、前記爪１１に代えて、縦断面ほぼコ字形状の保持部１３を複数（図示例では三つ）設け、薬剤収納部材９をスライドによって各保持部１３に着脱自在に保持させるようにしてもよい。もちろん、薬剤収納部材９を保持する手段は、蓋本体７の裏面側からみて突出した形状（爪１１、保持部１３）に限られるものではない。
【００３５】
また、上記の実施の形態では、薬剤収納部材９を不織布よりなる袋状の部材としていたが、例えば、硬質材料（合成樹脂等）よりなるケースによって薬剤収納部材９を構成し、薬剤収納部材９をいわゆるカートリッジ（カプセル）タイプとしてもよい。この場合、薬剤収納部材９に保持させた薬剤８に消臭機能を確実に発揮させるために、薬剤収納部材９に通気用の穴を設け、また、この穴は薬剤８を通過させない程度とする必要がある。
【００３６】
そして、上記のように薬剤収納部材９をカートリッジタイプとした場合、薬剤収納部材９を保持する手段として、蓋本体７の裏面側からみて凹んだ凹入部（図示していない）を複数（例えば二つ）設けると共に、各凹入部に嵌め込み係止が可能な係止部を薬剤収納部材９に設けることによっても、薬剤収納部材９を蓋本体７に着脱自在とすることができる。また、前記凹入部を形成することにより蓋本体７の表面側に突出部（図示していない）が形成され、この突出部に前記把手１０としての機能を持たせることができるので、前記把手１０の形成が不要となる。
【００３７】
また、上記の実施の形態では、蓋本体７に装着する薬剤収納部材９を一つとしているが、これに限られず、複数の薬剤収納部材９を装着するように構成してもよい。
【００３８】
図６は、本発明の第２の実施の形態に係る蓋１４の構成を概略的に示す分解斜視図、図７および図８は、前記蓋１４の構成を概略的に示す説明図および底面図である。なお、図６〜図８に示す部材等のうち、図１〜図５において示したものと同一・同等のものについては、同じ符号を付しその説明を省略する。
【００３９】
前記蓋１４は、第１の実施の形態に係る蓋１と比べて、薬剤収納部材９を保持する手段が、前記爪１１ではなく、前記蓋本体７に設けられた下方に開口しその開口が内部よりも狭まっているポケット部１５（図６〜図８参照）である点と、前記把手１０に代えて、蓋本体７の周縁部に連設されたほぼ舌状の引張片１６を有している点とで異なる。
【００４０】
前記ポケット部１５は、図６〜図８に示すように、平面視ほぼ十字形状をしていると共に、蓋本体７の裏面側からみて凹んだ凹入部となっており、これに伴い、蓋本体７の表面側に突出部分が形成されている。
【００４１】
そして、前記ポケット部１５内に前記薬剤収納部材９が収容される。すなわち、薬剤収納部材９をポケット部１５内に挿入する際には、ポケット部１５の内側に延びる開口縁部１５ａが薬剤収納部材９により押し上げられて弾性変形し、これにより、ポケット部１５の開口幅が広くなって薬剤収納部材９のポケット部１５内への進入が可能となる。そして、薬剤収納部材９がポケット部１５内に収容された状態となると、その復元力により元の形状に戻った前記開口縁部１５ａが薬剤収納部材９を保持する状態となり、これにより、薬剤収納部材９のポケット部１５への取り付けが完了したこととなる。なお、薬剤収納部材９をポケット部１５から取り外すには、前記開口縁部１５ａの薬剤収納部材９を保持する力に抗して薬剤収納部材９をポケット部１５から引っ張りだすだけでよい。
【００４２】
前記引張片１６は、前記把手１０と同様に、排水口６に設置した蓋本体７を取り外すために引っ張られるものであり、その引っ張り操作を容易に行える形状となっている。
【００４３】
なお、蓋１４の他の構成等については第１の実施の形態に係る蓋１と同様であるため、その説明を省略する。
【００４４】
ここで、図６〜図８には、ポケット部１５に薬剤収納部材９を一つのみ収容した例を示しているが、複数の薬剤収納部材９をポケット部１５に収容してもよいことはもちろんである。
【００４５】
また、前記ポケット部１５の形状は、平面視ほぼ十字形状に限られず、例えば、平面視ほぼ一文字形状、ほぼ米字形状、ほぼ＊（ａｓｔｅｒｉｓｋ）記号形状、ほぼ♯（ｓｈａｒｐ）記号形状等であってもよい。さらに、ポケット部１５の数は一つに限られず二つ以上であってもよい。
【００４６】
また、前記ポケット部１５を設けることにより蓋本体７の表面側に形成される突出部分を掴みやすい形状とすれば、把手としての機能を持たせることができる。
【００４７】
また、第１の実施形態の蓋１に、把手１０に代えてあるいは把手１０に加えて、第２の実施形態の引張片１６を設けてもよく、第２の実施形態の蓋１４に、引張片１６に代えてあるいは引張片１６に加えて、第１の実施形態の把手１０を設けてもよい。このように、第１の実施形態の蓋１の構成と第２の実施形態の蓋１４の構成とを適宜に組み合わせることができる。
【図面の簡単な説明】
【００４８】
【図１】本発明の第１の実施の形態に係る蓋の構成を概略的に示す分解斜視図である。
【図２】前記蓋の構成を概略的に示す説明図である。
【図３】前記蓋の構成を概略的に示す底面図である。
【図４】前記蓋の変形例の構成を概略的に示す斜視図である。
【図５】前記蓋の他の変形例の裏面側の構成を概略的に示す斜視図である。
【図６】本発明の第２の実施の形態に係る蓋の構成を概略的に示す分解斜視図である。
【図７】前記蓋の構成を概略的に示す説明図である。
【図８】前記蓋の構成を概略的に示す底面図である。
【符号の説明】
【００４９】
１    蓋
６    排水口
７    蓋本体
８    薬剤
９    薬剤収納部材
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体全体が、排水口の周縁に密着する程度の軟質性を有し、また、前記蓋本体に、裏面側に開口しその開口が内部よりも狭まっており蓋本体の裏面側からみて凹んだ凹入部となっている平面視ほぼ十字形状のポケット部が設けられ、このポケット部に前記薬剤収納部材が取り付けられるように構成したことを特徴とする蓋。
【請求項２】
流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体の周縁部に、排水口の周縁に密着する程度の軟質性を有するシール部材が設けられ、また、前記蓋本体に、裏面側に開口しその開口が内部よりも狭まっており蓋本体の裏面側からみて凹んだ凹入部となっている平面視ほぼ十字形状のポケット部が設けられ、このポケット部に前記薬剤収納部材が取り付けられるように構成したことを特徴とする蓋。
【請求項３】
前記蓋本体が、バイオフィルムの形成を阻害する薬剤又は抗菌作用を有する薬剤を含有するように形成されている請求項１または２に記載の蓋。
【手続補正２】
【補正対象書類名】明細書
【補正対象項目名】全文
【補正方法】変更
【補正の内容】
【発明の詳細な説明】
【技術分野】
【０００１】
この発明は、流しの排水口に用いられる蓋に関する。
【背景技術】
【０００２】
従来より、流しに水（湯または混合水も含む）を溜めること、あるいは、流しの排水口に設置されるごみ受け籠に付着したごみ等や下水からの異臭が外部に漏れないようにすることを目的として、流しの排水口を適宜に覆うことができるように構成された蓋が用いられている。
【発明の開示】
【発明が解決しようとする課題】
【０００３】
ところで、前記異臭を消すために市販の消臭剤が使用されているが、市販の消臭剤は前記ごみ受け籠等に設置する必要があった。そのため、ごみ受け籠内にたまったごみを処理するには、ごみ受け籠に設置した消臭剤を取り外すなどの作業が必要となり、手間がかかるという問題があった。
【０００４】
そこで、本願出願人は、この出願に先立って、消臭作用を有する薬剤を収納し通気性を有する薬剤収納部材を、蓋本体の裏側に着脱自在に取り付けるようにした蓋を提案している（特願２００３−３４３２３４号（特開２００５−１０５７３７号））。この蓋では、ごみ受け籠内のごみを処理する場合、蓋を排水口から取り外すことによりこの蓋に装着した薬剤収納部材も同時に取り外されることになるので、上記のように手間がかかるという問題がない。
【０００５】
しかし、本願出願人は、鋭意研究の結果、小型化・軽量化および製造コストの低減を図る上でさらに好ましい蓋を得るに至った。
【０００６】
この発明は上述の事柄に留意してなされたもので、その目的は、排水口からの異臭の消臭作用が得られるだけでなく、排水口直下に設けられるごみ受け籠内のごみの処理を行いやすく、しかも、小型化・軽量化と共に製造コストの低減を図ることもできる蓋を提供することである。
【課題を解決するための手段】
【０００７】
上記目的を達成するために、この発明の蓋は、流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体全体が、排水口の周縁に密着する程度の軟質性を有し、また、前記蓋本体に、裏面側に開口しその開口が内部よりも狭まっており蓋本体の裏面側からみて凹んだ凹入部となっている平面視ほぼ十字形状のポケット部が設けられ、このポケット部に前記薬剤収納部材が取り付けられるように構成したことを特徴としている（請求項１）。
【０００８】
また、上記目的を達成するために、この発明の蓋が、流しの排水口を覆って密閉するシート状の蓋本体と、消臭作用または防臭作用または殺菌作用またはぬめり除去作用の一以上の作用を有する薬剤を収納し、前記蓋本体の裏側に着脱自在に取り付けられる通気性を有する薬剤収納部材とを備え、前記蓋本体の周縁部に、排水口の周縁に密着する程度の軟質性を有するシール部材が設けられ、また、前記蓋本体に、裏面側に開口しその開口が内部よりも狭まっており蓋本体の裏面側からみて凹んだ凹入部となっている平面視ほぼ十字形状のポケット部が設けられ、このポケット部に前記薬剤収納部材が取り付けられるように構成したことを特徴としていてもよい（請求項２）。
【０００９】
さらに、前記蓋本体が、バイオフィルムの形成を阻害する薬剤又は抗菌作用を有する薬剤を含有するように形成されていてもよい（請求項３）。
【００１０】
【発明の効果】
【００１１】
請求項１〜３に係る発明では、排水口を覆った状態とすると、排水口からの異臭の消臭作用を発揮する蓋が得られる。すなわち、本発明の蓋によって前記排水口を覆うと、流しに水（湯または混合水も含む）を溜めることができ、流しに水を溜めればその水の重み（水圧）により蓋本体が排水口周縁により密着することとなる。そして、蓋によって排水口を覆ったときには、流しの排水口の直下に設置されるごみ受け籠に付着したごみ等や下水からの異臭が外部に漏れないようにすることができる。
【００１２】
また、前記薬剤が消臭作用を有している場合には以下の効果が得られる。すなわち、前記蓋は、薬剤を収納した薬剤収納部材を裏面側（下面側）に備えているので、この薬剤により前記異臭を消すことができ、しかも、蓋本体が排水口を密閉するので、薬剤の消臭機能が排水口の直下近傍における空間で集中的に発揮され、これにより、薬剤による消臭が非常に効果的に行われることになる。また、前記薬剤が防臭作用、殺菌作用またはぬめり除去作用を有している場合にも、それらの作用（機能）が上記消臭作用と同様に効果的に発揮されることとなる。
【００１３】
しかも、上記本発明の蓋では、蓋本体に前記薬剤を収納した薬剤収納部材が装着されるので、前記蓋本体と薬剤等を一体的に扱うことができ、排水口直下に設けられるごみ受け籠内のごみの処理を行うときに、前記薬剤をごみ受け籠から取り出した後にごみ受け籠のごみを捨てるなどの余分な手間がかかるという問題がなく、前記蓋が流しにおける作業の邪魔になるということもない。さらに、蓋本体はシンプルな構造であるシート状となっているので、小型化・軽量化と共に製造コストの低減を図ることもできる。
【００１４】
また、薬剤収納部材は蓋本体に対して着脱自在となっているので、前記薬剤の寿命が尽きた場合には、その薬剤を収納した薬剤収納部材を、新しい薬剤を収納した薬剤収納部材に交換すればよく、これにより、蓋本体は交換せずに長期間使用することができる。
そして、この発明では、薬剤収納部材の交換が容易で非常に簡便な構造の蓋が得られる。
【００１５】
また、請求項３に係る発明では、ヌメリが発生して蓋本体に付着することを確実に防止することができる。
【００１６】
【発明を実施するための最良の形態】
【００１７】
図１は、この発明の参考例に係る蓋１の構成を概略的に示す分解斜視図、図２および図３は、前記蓋１の構成を概略的に示す説明図および底面図である。まず、図１および図２において、２は菊割れ蓋であり、この菊割れ蓋２は、環状枠部３と、平面視円形の底部４とを有し、底部４は、環状枠部３の内周面に連設された複数の菊割れ舌片５によって構成されている。そして、菊割れ蓋２は流しの排水口６に着脱自在に設置され、排水口６の直下には、図２に示すように、メッシュ状のごみ受け籠Ｇが着脱自在に設置されている。なお、図２において、Ｃはごみ受け籠Ｇを着脱自在に収容し下流側が排水パイプに接続されるごみ受け籠収容容器であり、このごみ受け籠収容容器Ｃの上端部に菊割れ蓋２が着脱自在に設置される前記排水口６が形成されている。
【００１８】
そして、図１〜図３に示すように、前記蓋１は、排水口６を菊割れ蓋２ごと覆って密閉するシート状の蓋本体７と、消臭作用を有する薬剤８を収納し、前記蓋本体７の裏側に着脱自在に取り付けられる通気性を有する薬剤収納部材９とを備えている。
【００１９】
前記蓋本体７は、軟質材料（例えばポリプロピレン等の合成樹脂）を主体としてなる平面視ほぼ円形状の部材で、前記排水口６の周縁に確実に密着する程度の軟質性および弾力性（可撓性）を有しており、直径が約１８０ｍｍ程度となっている。そして、蓋本体７の表面の適宜の位置には把手１０が設けられており、裏面には薬剤収納部材９を着脱自在に保持するための保持部としての複数（この実施の形態では四つ）の爪１１が設けられている。なお、各爪１１は、縦断面ほぼＬ字形状をしている。また、蓋本体７は、自然状態では、その中央部が盛り上がるように（いわゆるコンタクトレンズの形状に近い形状となるように）構成されており、かつ、中央部が端部よりも若干厚くなっている。
【００２０】
前記薬剤８は、前記菊割れ蓋２やごみ受け籠に付着したごみや下水からの異臭を消す消臭作用を有し、０．５〜２０ｍｍ（例えば４ｍｍ程度）の粒径を有する粒状をしている。そして、この実施の形態では、前記薬剤８として、東亜合成株式会社製のケスモン（商標）が用いられている。なお、薬剤８は、粒状のものに限られず、粉状であってもよい。
【００２１】
前記薬剤収納部材９は、不織布よりなる袋状でスティックタイプの部材であり、蓋本体７の爪１１に着脱自在に保持される。
【００２２】
そして、上記のように構成された蓋１によって前記排水口６を覆うと、流しに水（湯または混合水も含む）を溜めることができ、流しに水を溜めればその水の重み（水圧）により排水口６周縁により密着することとなる。また、蓋１によって排水口６を覆ったときには、流しの排水口６の直下に設置されるごみ受け籠に付着したごみ等や下水からの異臭が外部に漏れないようにすることができる。さらに、前記蓋１は、薬剤８を収納した薬剤収納部材９を裏面側（下面側）に備えているので、この薬剤８により前記異臭を消すことができ、しかも、蓋本体７が排水口６を密閉するので、薬剤８の消臭機能が排水口６の直下近傍における空間で集中的に発揮され、これにより、薬剤８による消臭が非常に効果的に行われることになる。
【００２３】
また、一般的に市販されている塩素系消臭剤は、例えばごみ受け籠内に載置されて使用される。そして、当該薬剤から発生した塩素ガスにより排水口の異臭を消すが、発生する塩素ガスはゴム製の菊割れ蓋の劣化の原因の一つになるおそれがあり、また、前記塩素ガスによりその使用者等の健康上の問題も生じる。しかし、この実施の形態で薬剤８として用いる上記ケスモン（商標）は、異臭を吸着により消す無機系の消臭剤であり、上記塩素系消臭剤のように塩素ガスを発生させないので、ゴム製の菊割れ蓋を劣化させたり、その使用者等の健康を害することもなく、安全性が高い。
【００２４】
さらに、前記蓋１はコンパクトな構成となっているので、その保管のためのスペースが小さくてよく、そのうえ、保管時に、例えば流しの近傍等にある壁に密着させ、その壁と蓋本体７とで薬剤収納部材９をほぼ密閉した状態とすれば、薬剤８が余計な消臭を行わなくなるので必然的に薬剤８の長寿命化を図ることができる。なお、上記密閉を行うためには、蓋本体７が、前記薬剤収納部材９を覆った状態で壁に密着させることができる程度にその中央部が周縁部よりも盛り上がった形状となっていればよい。
【００２５】
また、薬剤収納部材９は蓋本体７に対して着脱自在となっているので、薬剤８の寿命が尽きた場合には、その薬剤８を収納した薬剤収納部材９を、新しい薬剤８を収納した薬剤収納部材９に交換すればよく、これにより、蓋本体７は交換せずに長期間使用することができる。
【００２６】
なお、本参考例に係る発明は、上記の実施の形態に限られず、種々に変形して実施することができる。例えば、上記の実施の形態では、蓋本体７の直径を約１８０ｍｍとしているが、蓋本体７の大きさは排水口６の大きさ等に応じて適宜に設定すればよい。
【００２７】
また、前記蓋本体７は平面視円形状に限られず、例えば平面視が楕円形状や矩形状等となるように構成されていてもよい。
【００２８】
さらに、前記蓋本体７が、バイオフィルムの形成を阻害する薬剤を含有するように形成されていてもよい。ここで、バイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名：イヌイ株式会社製）があり、これは有害なガスを発生することがなく人体に対しては安全性が高い。このバイオフィルムの形成を阻害する薬剤は、第４アンモニウム塩を主たる成分としている。
【００２９】
ここで、蓋本体７に前記バイオフィルムの形成を阻害する薬剤を添加する場合、その添加量（含有量）は例えば１〜３重量％とすることが好ましい。これは、前記薬剤の添加量が１重量％よりも少ないとバイオフィルムの形成を阻害する効果が低下し易くなり、３重量％よりも多いと蓋本体７の主たる材料に前記薬剤を均一に混合するのが困難となるためである。
【００３０】
また、上述したバイオフィルムの形成を阻害する薬剤の代わりに、前記蓋本体７が抗菌作用を有する薬剤を含有するように形成されていてもよい。前記抗菌作用を有する薬剤としては、例えば、東亜合成株式会社製のカビノン（商標）を用いることができる。これは、イソチアゾリン系有機剤とシリカ系無機剤のハイブリッド（複合）材料を含むものである。
【００３１】
また、蓋本体７に前記抗菌作用を有する薬剤を添加する場合、その添加量（含有量）は例えば２〜１０重量％とすることが好ましい。これは、前記薬剤の添加量が２重量％よりも少ないと抗菌効果が低下し易くなり、１０重量％よりも多いと蓋本体７の主たる材料に前記薬剤を均一に混合するのが困難となるためである。
【００３２】
また、上記の実施の形態では、前記蓋本体７全体を軟質を主体とする材料によって形成していたが、蓋１を図４に示すように構成してもよい。すなわち、図４は前記蓋１の変形例の構成を概略的に示す斜視図であり、この図に示すように、蓋本体７全体を硬質材料で形成し、蓋本体７の周縁に軟質を主体とする環状のシール部材１２を取り付けてもよい。ここで、シール部材１２は、前記排水口６の周縁に確実に密着する程度の軟質性を有しており、また、蓋本体７に対して着脱自在であっても一体的に形成されていてもよい。そして、シール部材１２は、蓋本体７の周縁部の裏面のみに取り付けられるように構成してあってもよい。
【００３３】
また、前記薬剤８には、消臭作用を有するケスモン（商標）に限られず、種々の成分のものを有するものを用いることができる。この場合、薬剤８は、消臭作用または防臭作用または殺菌作用またはぬめり除去作用の一以上の作用を有していることが望ましい。
【００３４】
また、上記の実施の形態では、薬剤収納部材９を着脱自在に保持する手段として蓋本体７に縦断面ほぼＬ字形状の爪１１を設けていたが、このような構成に限られず、蓋１を図５に示すように構成してもよい。すなわち、図５は前記蓋１の他の変形例の裏面側の構成を概略的に示す斜視図であり、この図に示すように、前記爪１１に代えて、縦断面ほぼコ字形状の保持部１３を複数（図示例では三つ）設け、薬剤収納部材９をスライドによって各保持部１３に着脱自在に保持させるようにしてもよい。もちろん、薬剤収納部材９を保持する手段は、蓋本体７の裏面側からみて突出した形状（爪１１、保持部１３）に限られるものではない。
【００３５】
また、上記の実施の形態では、薬剤収納部材９を不織布よりなる袋状の部材としていたが、例えば、硬質材料（合成樹脂等）よりなるケースによって薬剤収納部材９を構成し、薬剤収納部材９をいわゆるカートリッジ（カプセル）タイプとしてもよい。この場合、薬剤収納部材９に保持させた薬剤８に消臭機能を確実に発揮させるために、薬剤収納部材９に通気用の穴を設け、また、この穴は薬剤８を通過させない程度とする必要がある。
【００３６】
そして、上記のように薬剤収納部材９をカートリッジタイプとした場合、薬剤収納部材９を保持する手段として、蓋本体７の裏面側からみて凹んだ凹入部（図示していない）を複数（例えば二つ）設けると共に、各凹入部に嵌め込み係止が可能な係止部を薬剤収納部材９に設けることによっても、薬剤収納部材９を蓋本体７に着脱自在とすることができる。また、前記凹入部を形成することにより蓋本体７の表面側に突出部（図示していない）が形成され、この突出部に前記把手１０としての機能を持たせることができるので、前記把手１０の形成が不要となる。
【００３７】
また、上記の実施の形態では、蓋本体７に装着する薬剤収納部材９を一つとしているが、これに限られず、複数の薬剤収納部材９を装着するように構成してもよい。
【００３８】
図６は、本発明の一実施の形態に係る蓋１４の構成を概略的に示す分解斜視図、図７および図８は、前記蓋１４の構成を概略的に示す説明図および底面図である。なお、図６〜図８に示す部材等のうち、図１〜図５において示したものと同一・同等のものについては、同じ符号を付しその説明を省略する。
【００３９】
前記蓋１４は、上記実施の形態に係る蓋１と比べて、薬剤収納部材９を保持する手段が、前記爪１１ではなく、前記蓋本体７に設けられた下方に開口しその開口が内部よりも狭まっているポケット部１５（図６〜図８参照）である点と、前記把手１０に代えて、蓋本体７の周縁部に連設されたほぼ舌状の引張片１６を有している点とで異なる。
【００４０】
前記ポケット部１５は、図６〜図８に示すように、平面視ほぼ十字形状をしていると共に、蓋本体７の裏面側からみて凹んだ凹入部となっており、これに伴い、蓋本体７の表面側に突出部分が形成されている。
【００４１】
そして、前記ポケット部１５内に前記薬剤収納部材９が収容される。すなわち、薬剤収納部材９をポケット部１５内に挿入する際には、ポケット部１５の内側に延びる開口縁部１５ａが薬剤収納部材９により押し上げられて弾性変形し、これにより、ポケット部１５の開口幅が広くなって薬剤収納部材９のポケット部１５内への進入が可能となる。そして、薬剤収納部材９がポケット部１５内に収容された状態となると、その復元力により元の形状に戻った前記開口縁部１５ａが薬剤収納部材９を保持する状態となり、これにより、薬剤収納部材９のポケット部１５への取り付けが完了したこととなる。なお、薬剤収納部材９をポケット部１５から取り外すには、前記開口縁部１５ａの薬剤収納部材９を保持する力に抗して薬剤収納部材９をポケット部１５から引っ張りだすだけでよい。
【００４２】
前記引張片１６は、前記把手１０と同様に、排水口６に設置した蓋本体７を取り外すために引っ張られるものであり、その引っ張り操作を容易に行える形状となっている。
【００４３】
なお、蓋１４の他の構成等については第１の実施の形態に係る蓋１と同様であるため、その説明を省略する。
【００４４】
ここで、図６〜図８には、ポケット部１５に薬剤収納部材９を一つのみ収容した例を示しているが、複数の薬剤収納部材９をポケット部１５に収容してもよいことはもちろんである。
【００４５】
また、前記ポケット部１５の形状は、平面視ほぼ十字形状に限られず、例えば、平面視ほぼ一文字形状、ほぼ米字形状、ほぼ＊（ａｓｔｅｒｉｓｋ）記号形状、ほぼ♯（ｓｈａｒｐ）記号形状等であってもよい。さらに、ポケット部１５の数は一つに限られず二つ以上であってもよい。
【００４６】
また、前記ポケット部１５を設けることにより蓋本体７の表面側に形成される突出部分を掴みやすい形状とすれば、把手としての機能を持たせることができる。
【００４７】
また、参考例に係る蓋１に、把手１０に代えてあるいは把手１０に加えて、本発明の一実施形態の引張片１６を設けてもよく、本発明の一実施形態の蓋１４に、引張片１６に代えてあるいは引張片１６に加えて、参考例に係る把手１０を設けてもよい。このように、参考例の蓋１の構成と本発明の蓋１４の構成とを適宜に組み合わせることができる。
【図面の簡単な説明】
【００４８】
【図１】本発明の参考例に係る蓋の構成を概略的に示す分解斜視図である。
【図２】前記蓋の構成を概略的に示す説明図である。
【図３】前記蓋の構成を概略的に示す底面図である。
【図４】前記蓋の変形例の構成を概略的に示す斜視図である。
【図５】前記蓋の他の変形例の裏面側の構成を概略的に示す斜視図である。
【図６】本発明の一実施の形態に係る蓋の構成を概略的に示す分解斜視図である。
【図７】前記蓋の構成を概略的に示す説明図である。
【図８】前記蓋の構成を概略的に示す底面図である。
【符号の説明】
【００４９】
１    蓋
６    排水口
７    蓋本体
８    薬剤
９    薬剤収納部材
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
流しの排水口を覆って密閉するシート状の蓋本体と、消臭作用または防臭作用または殺
菌作用またはぬめり除去作用の一以上の作用を有する薬剤を収納し、前記蓋本体の裏側に
着脱自在に取り付けられる通気性を有する薬剤収納部材とを備え、前記蓋本体全体が、排
水口の周縁に密着する程度の軟質性を有し、また、前記蓋本体に、裏面側に開口しその開
口が内部よりも狭まっており蓋本体の裏面側からみて凹んだ凹入部となっている平面視ほ
ぼ十字形状のポケット部が設けられ、このポケット部に前記薬剤収納部材が取り付けられ
るように構成したことを特徴とする蓋。
【請求項２】
流しの排水口を覆って密閉するシート状の蓋本体と、消臭作用または防臭作用または殺
菌作用またはぬめり除去作用の一以上の作用を有する薬剤を収納し、前記蓋本体の裏側に
着脱自在に取り付けられる通気性を有する薬剤収納部材とを備え、前記蓋本体の周縁部に
、排水口の周縁に密着する程度の軟質性を有するシール部材が設けられ、また、前記蓋本
体に、裏面側に開口しその開口が内部よりも狭まっており蓋本体の裏面側からみて凹んだ
凹入部となっている平面視ほぼ十字形状のポケット部が設けられ、このポケット部に前記
薬剤収納部材が取り付けられるように構成したことを特徴とする蓋。
【請求項３】
前記蓋本体が、バイオフィルムの形成を阻害する薬剤又は抗菌作用を有する薬剤を含有
するように形成されている請求項１または２に記載の蓋。
【手続補正２】
【補正対象書類名】明細書
【補正対象項目名】全文
【補正方法】変更
【補正の内容】
【発明の詳細な説明】
【技術分野】
【０００１】
この発明は、流しの排水口に用いられる蓋に関する。
【背景技術】
【０００２】
従来より、流しに水（湯または混合水も含む）を溜めること、あるいは、流しの排水口
に設置されるごみ受け籠に付着したごみ等や下水からの異臭が外部に漏れないようにする
ことを目的として、流しの排水口を適宜に覆うことができるように構成された蓋が用いら
れている。
【発明の開示】
【発明が解決しようとする課題】
【０００３】
ところで、前記異臭を消すために市販の消臭剤が使用されているが、市販の消臭剤は前
記ごみ受け籠等に設置する必要があった。そのため、ごみ受け籠内にたまったごみを処理
するには、ごみ受け籠に設置した消臭剤を取り外すなどの作業が必要となり、手間がかか
るという問題があった。
【０００４】
そこで、本願出願人は、この出願に先立って、消臭作用を有する薬剤を収納し通気性を
有する薬剤収納部材を、蓋本体の裏側に着脱自在に取り付けるようにした蓋を提案してい
る（特願２００３−３４３２３４号（特開２００５−１０５７３７号））。この蓋では、
ごみ受け籠内のごみを処理する場合、蓋を排水口から取り外すことによりこの蓋に装着し
た薬剤収納部材も同時に取り外されることになるので、上記のように手間がかかるという
問題がない。
【０００５】
しかし、本願出願人は、鋭意研究の結果、小型化・軽量化および製造コストの低減を図
る上でさらに好ましい蓋を得るに至った。
【０００６】
この発明は上述の事柄に留意してなされたもので、その目的は、排水口からの異臭の消
臭作用が得られるだけでなく、排水口直下に設けられるごみ受け籠内のごみの処理を行い
やすく、しかも、小型化・軽量化と共に製造コストの低減を図ることもできる蓋を提供す
ることである。
【課題を解決するための手段】
【０００７】
上記目的を達成するために、この発明の蓋は、流しの排水口を覆って密閉するシート状
の蓋本体と、消臭作用または防臭作用または殺菌作用またはぬめり除去作用の一以上の作
用を有する薬剤を収納し、前記蓋本体の裏側に着脱自在に取り付けられる通気性を有する
薬剤収納部材とを備え、前記蓋本体全体が、排水口の周縁に密着する程度の軟質性を有し
、また、前記蓋本体に、裏面側に開口しその開口が内部よりも狭まっており蓋本体の裏面
側からみて凹んだ凹入部となっている平面視ほぼ十字形状のポケット部が設けられ、この
ポケット部に前記薬剤収納部材が取り付けられるように構成したことを特徴としている（
請求項１）。
【０００８】
また、上記目的を達成するために、この発明の蓋が、流しの排水口を覆って密閉するシ
ート状の蓋本体と、消臭作用または防臭作用または殺菌作用またはぬめり除去作用の一以
上の作用を有する薬剤を収納し、前記蓋本体の裏側に着脱自在に取り付けられる通気性を
有する薬剤収納部材とを備え、前記蓋本体の周縁部に、排水口の周縁に密着する程度の軟
質性を有するシール部材が設けられ、また、前記蓋本体に、裏面側に開口しその開口が内
部よりも狭まっており蓋本体の裏面側からみて凹んだ凹入部となっている平面視ほぼ十字
形状のポケット部が設けられ、このポケット部に前記薬剤収納部材が取り付けられるよう
に構成したことを特徴としていてもよい（請求項２）。
【０００９】
さらに、前記蓋本体が、バイオフィルムの形成を阻害する薬剤又は抗菌作用を有する薬
剤を含有するように形成されていてもよい（請求項３）。
【００１０】
【発明の効果】
【００１１】
請求項１〜３に係る発明では、排水口を覆った状態とすると、排水口からの異臭の消臭
作用を発揮する蓋が得られる。すなわち、本発明の蓋によって前記排水口を覆うと、流し
に水（湯または混合水も含む）を溜めることができ、流しに水を溜めればその水の重み（
水圧）により蓋本体が排水口周縁により密着することとなる。そして、蓋によって排水口
を覆ったときには、流しの排水口の直下に設置されるごみ受け籠に付着したごみ等や下水
からの異臭が外部に漏れないようにすることができる。
【００１２】
また、前記薬剤が消臭作用を有している場合には以下の効果が得られる。すなわち、前
記蓋は、薬剤を収納した薬剤収納部材を裏面側（下面側）に備えているので、この薬剤に
より前記異臭を消すことができ、しかも、蓋本体が排水口を密閉するので、薬剤の消臭機
能が排水口の直下近傍における空間で集中的に発揮され、これにより、薬剤による消臭が
非常に効果的に行われることになる。また、前記薬剤が防臭作用、殺菌作用またはぬめり
除去作用を有している場合にも、それらの作用（機能）が上記消臭作用と同様に効果的に
発揮されることとなる。
【００１３】
しかも、上記本発明の蓋では、蓋本体に前記薬剤を収納した薬剤収納部材が装着される
ので、前記蓋本体と薬剤等を一体的に扱うことができ、排水口直下に設けられるごみ受け
籠内のごみの処理を行うときに、前記薬剤をごみ受け籠から取り出した後にごみ受け籠の
ごみを捨てるなどの余分な手間がかかるという問題がなく、前記蓋が流しにおける作業の
邪魔になるということもない。さらに、蓋本体はシンプルな構造であるシート状となって
いるので、小型化・軽量化と共に製造コストの低減を図ることもできる。
【００１４】
また、薬剤収納部材は蓋本体に対して着脱自在となっているので、前記薬剤の寿命が尽
きた場合には、その薬剤を収納した薬剤収納部材を、新しい薬剤を収納した薬剤収納部材
に交換すればよく、これにより、蓋本体は交換せずに長期間使用することができる。
そして、この発明では、薬剤収納部材の交換が容易で非常に簡便な構造の蓋が得られる
。
【００１５】
また、請求項３に係る発明では、ヌメリが発生して蓋本体に付着することを確実に防止
することができる。
【００１６】
【発明を実施するための最良の形態】
【００１７】
図１は、この発明の参考例に係る蓋１の構成を概略的に示す分解斜視図、図２および図
３は、前記蓋１の構成を概略的に示す説明図および底面図である。まず、図１および図２
において、２は菊割れ蓋であり、この菊割れ蓋２は、環状枠部３と、平面視円形の底部４
とを有し、底部４は、環状枠部３の内周面に連設された複数の菊割れ舌片５によって構成
されている。そして、菊割れ蓋２は流しの排水口６に着脱自在に設置され、排水口６の直
下には、図２に示すように、メッシュ状のごみ受け籠Ｇが着脱自在に設置されている。な
お、図２において、Ｃはごみ受け籠Ｇを着脱自在に収容し下流側が排水パイプに接続され
るごみ受け籠収容容器であり、このごみ受け籠収容容器Ｃの上端部に菊割れ蓋２が着脱自
在に設置される前記排水口６が形成されている。
【００１８】
そして、図１〜図３に示すように、前記蓋１は、排水口６を菊割れ蓋２ごと覆って密閉
するシート状の蓋本体７と、消臭作用を有する薬剤８を収納し、前記蓋本体７の裏側に着
脱自在に取り付けられる通気性を有する薬剤収納部材９とを備えている。
【００１９】
前記蓋本体７は、軟質材料（例えばポリプロピレン等の合成樹脂）を主体としてなる平
面視ほぼ円形状の部材で、前記排水口６の周縁に確実に密着する程度の軟質性および弾力
性（可撓性）を有しており、直径が約１８０ｍｍ程度となっている。そして、蓋本体７の
表面の適宜の位置には把手１０が設けられており、裏面には薬剤収納部材９を着脱自在に
保持するための保持部としての複数（この実施の形態では四つ）の爪１１が設けられてい
る。なお、各爪１１は、縦断面ほぼＬ字形状をしている。また、蓋本体７は、自然状態で
は、その中央部が盛り上がるように（いわゆるコンタクトレンズの形状に近い形状となる
ように）構成されており、かつ、中央部が端部よりも若干厚くなっている。
【００２０】
前記薬剤８は、前記菊割れ蓋２やごみ受け籠に付着したごみや下水からの異臭を消す消
臭作用を有し、０．５〜２０ｍｍ（例えば４ｍｍ程度）の粒径を有する粒状をしている。
そして、この実施の形態では、前記薬剤８として、東亜合成株式会社製のケスモン（商標
）が用いられている。なお、薬剤８は、粒状のものに限られず、粉状であってもよい。
【００２１】
前記薬剤収納部材９は、不織布よりなる袋状でスティックタイプの部材であり、蓋本体
７の爪１１に着脱自在に保持される。
【００２２】
そして、上記のように構成された蓋１によって前記排水口６を覆うと、流しに水（湯ま
たは混合水も含む）を溜めることができ、流しに水を溜めればその水の重み（水圧）によ
り排水口６周縁により密着することとなる。また、蓋１によって排水口６を覆ったときに
は、流しの排水口６の直下に設置されるごみ受け籠に付着したごみ等や下水からの異臭が
外部に漏れないようにすることができる。さらに、前記蓋１は、薬剤８を収納した薬剤収
納部材９を裏面側（下面側）に備えているので、この薬剤８により前記異臭を消すことが
でき、しかも、蓋本体７が排水口６を密閉するので、薬剤８の消臭機能が排水口６の直下
近傍における空間で集中的に発揮され、これにより、薬剤８による消臭が非常に効果的に
行われることになる。
【００２３】
また、一般的に市販されている塩素系消臭剤は、例えばごみ受け籠内に載置されて使用
される。そして、当該薬剤から発生した塩素ガスにより排水口の異臭を消すが、発生する
塩素ガスはゴム製の菊割れ蓋の劣化の原因の一つになるおそれがあり、また、前記塩素ガ
スによりその使用者等の健康上の問題も生じる。しかし、この実施の形態で薬剤８として
用いる上記ケスモン（商標）は、異臭を吸着により消す無機系の消臭剤であり、上記塩素
系消臭剤のように塩素ガスを発生させないので、ゴム製の菊割れ蓋を劣化させたり、その
使用者等の健康を害することもなく、安全性が高い。
【００２４】
さらに、前記蓋１はコンパクトな構成となっているので、その保管のためのスペースが
小さくてよく、そのうえ、保管時に、例えば流しの近傍等にある壁に密着させ、その壁と
蓋本体７とで薬剤収納部材９をほぼ密閉した状態とすれば、薬剤８が余計な消臭を行わな
くなるので必然的に薬剤８の長寿命化を図ることができる。なお、上記密閉を行うために
は、蓋本体７が、前記薬剤収納部材９を覆った状態で壁に密着させることができる程度に
その中央部が周縁部よりも盛り上がった形状となっていればよい。
【００２５】
また、薬剤収納部材９は蓋本体７に対して着脱自在となっているので、薬剤８の寿命が
尽きた場合には、その薬剤８を収納した薬剤収納部材９を、新しい薬剤８を収納した薬剤
収納部材９に交換すればよく、これにより、蓋本体７は交換せずに長期間使用することが
できる。
【００２６】
なお、本参考例に係る発明は、上記の実施の形態に限られず、種々に変形して実施する
ことができる。例えば、上記の実施の形態では、蓋本体７の直径を約１８０ｍｍとしてい
るが、蓋本体７の大きさは排水口６の大きさ等に応じて適宜に設定すればよい。
【００２７】
また、前記蓋本体７は平面視円形状に限られず、例えば平面視が楕円形状や矩形状等と
なるように構成されていてもよい。
【００２８】
さらに、前記蓋本体７が、バイオフィルムの形成を阻害する薬剤を含有するように形成
されていてもよい。ここで、バイオフィルムとは、微生物が排出するスライムで囲まれた
微生物の集合体で、ヌメリの薄膜である。このバイオフィルムの形成を阻害すればヌメリ
発生防止に大きな効果が得られる。そして、バイオフィルムの形成を阻害する薬剤として
は、例えばダイマー３８（商品名：イヌイ株式会社製）があり、これは有害なガスを発生
することがなく人体に対しては安全性が高い。このバイオフィルムの形成を阻害する薬剤
は、第４アンモニウム塩を主たる成分としている。
【００２９】
ここで、蓋本体７に前記バイオフィルムの形成を阻害する薬剤を添加する場合、その添
加量（含有量）は例えば１〜３重量％とすることが好ましい。これは、前記薬剤の添加量
が１重量％よりも少ないとバイオフィルムの形成を阻害する効果が低下し易くなり、３重
量％よりも多いと蓋本体７の主たる材料に前記薬剤を均一に混合するのが困難となるため
である。
【００３０】
また、上述したバイオフィルムの形成を阻害する薬剤の代わりに、前記蓋本体７が抗菌
作用を有する薬剤を含有するように形成されていてもよい。前記抗菌作用を有する薬剤と
しては、例えば、東亜合成株式会社製のカビノン（商標）を用いることができる。これは
、イソチアゾリン系有機剤とシリカ系無機剤のハイブリッド（複合）材料を含むものであ
る。
【００３１】
また、蓋本体７に前記抗菌作用を有する薬剤を添加する場合、その添加量（含有量）は
例えば２〜１０重量％とすることが好ましい。これは、前記薬剤の添加量が２重量％より
も少ないと抗菌効果が低下し易くなり、１０重量％よりも多いと蓋本体７の主たる材料に
前記薬剤を均一に混合するのが困難となるためである。
【００３２】
また、上記の実施の形態では、前記蓋本体７全体を軟質を主体とする材料によって形成
していたが、蓋１を図４に示すように構成してもよい。すなわち、図４は前記蓋１の変形
例の構成を概略的に示す斜視図であり、この図に示すように、蓋本体７全体を硬質材料で
形成し、蓋本体７の周縁に軟質を主体とする環状のシール部材１２を取り付けてもよい。
ここで、シール部材１２は、前記排水口６の周縁に確実に密着する程度の軟質性を有して
おり、また、蓋本体７に対して着脱自在であっても一体的に形成されていてもよい。そし
て、シール部材１２は、蓋本体７の周縁部の裏面のみに取り付けられるように構成してあ
ってもよい。
【００３３】
また、前記薬剤８には、消臭作用を有するケスモン（商標）に限られず、種々の成分の
ものを有するものを用いることができる。この場合、薬剤８は、消臭作用または防臭作用
または殺菌作用またはぬめり除去作用の一以上の作用を有していることが望ましい。
【００３４】
また、上記の実施の形態では、薬剤収納部材９を着脱自在に保持する手段として蓋本体
７に縦断面ほぼＬ字形状の爪１１を設けていたが、このような構成に限られず、蓋１を図
５に示すように構成してもよい。すなわち、図５は前記蓋１の他の変形例の裏面側の構成
を概略的に示す斜視図であり、この図に示すように、前記爪１１に代えて、縦断面ほぼコ
字形状の保持部１３を複数（図示例では三つ）設け、薬剤収納部材９をスライドによって
各保持部１３に着脱自在に保持させるようにしてもよい。もちろん、薬剤収納部材９を保
持する手段は、蓋本体７の裏面側からみて突出した形状（爪１１、保持部１３）に限られ
るものではない。
【００３５】
また、上記の実施の形態では、薬剤収納部材９を不織布よりなる袋状の部材としていた
が、例えば、硬質材料（合成樹脂等）よりなるケースによって薬剤収納部材９を構成し、
薬剤収納部材９をいわゆるカートリッジ（カプセル）タイプとしてもよい。この場合、薬
剤収納部材９に保持させた薬剤８に消臭機能を確実に発揮させるために、薬剤収納部材９
に通気用の穴を設け、また、この穴は薬剤８を通過させない程度とする必要がある。
【００３６】
そして、上記のように薬剤収納部材９をカートリッジタイプとした場合、薬剤収納部材
９を保持する手段として、蓋本体７の裏面側からみて凹んだ凹入部（図示していない）を
複数（例えば二つ）設けると共に、各凹入部に嵌め込み係止が可能な係止部を薬剤収納部
材９に設けることによっても、薬剤収納部材９を蓋本体７に着脱自在とすることができる
。また、前記凹入部を形成することにより蓋本体７の表面側に突出部（図示していない）
が形成され、この突出部に前記把手１０としての機能を持たせることができるので、前記
把手１０の形成が不要となる。
【００３７】
また、上記の実施の形態では、蓋本体７に装着する薬剤収納部材９を一つとしているが
、これに限られず、複数の薬剤収納部材９を装着するように構成してもよい。
【００３８】
図６は、本発明の一実施の形態に係る蓋１４の構成を概略的に示す分解斜視図、図７お
よび図８は、前記蓋１４の構成を概略的に示す説明図および底面図である。なお、図６〜
図８に示す部材等のうち、図１〜図５において示したものと同一・同等のものについては
、同じ符号を付しその説明を省略する。
【００３９】
前記蓋１４は、上記実施の形態に係る蓋１と比べて、薬剤収納部材９を保持する手段が
、前記爪１１ではなく、前記蓋本体７に設けられた下方に開口しその開口が内部よりも狭
まっているポケット部１５（図６〜図８参照）である点と、前記把手１０に代えて、蓋本
体７の周縁部に連設されたほぼ舌状の引張片１６を有している点とで異なる。
【００４０】
前記ポケット部１５は、図６〜図８に示すように、平面視ほぼ十字形状をしていると共
に、蓋本体７の裏面側からみて凹んだ凹入部となっており、これに伴い、蓋本体７の表面
側に突出部分が形成されている。
【００４１】
そして、前記ポケット部１５内に前記薬剤収納部材９が収容される。すなわち、薬剤収
納部材９をポケット部１５内に挿入する際には、ポケット部１５の内側に延びる開口縁部
１５ａが薬剤収納部材９により押し上げられて弾性変形し、これにより、ポケット部１５
の開口幅が広くなって薬剤収納部材９のポケット部１５内への進入が可能となる。そして
、薬剤収納部材９がポケット部１５内に収容された状態となると、その復元力により元の
形状に戻った前記開口縁部１５ａが薬剤収納部材９を保持する状態となり、これにより、
薬剤収納部材９のポケット部１５への取り付けが完了したこととなる。なお、薬剤収納部
材９をポケット部１５から取り外すには、前記開口縁部１５ａの薬剤収納部材９を保持す
る力に抗して薬剤収納部材９をポケット部１５から引っ張りだすだけでよい。
【００４２】
前記引張片１６は、前記把手１０と同様に、排水口６に設置した蓋本体７を取り外すた
めに引っ張られるものであり、その引っ張り操作を容易に行える形状となっている。
【００４３】
なお、蓋１４の他の構成等については第１の実施の形態に係る蓋１と同様であるため、
その説明を省略する。
【００４４】
ここで、図６〜図８には、ポケット部１５に薬剤収納部材９を一つのみ収容した例を示
しているが、複数の薬剤収納部材９をポケット部１５に収容してもよいことはもちろんで
ある。
【００４５】
【００４６】
また、前記ポケット部１５を設けることにより蓋本体７の表面側に形成される突出部分
を掴みやすい形状とすれば、把手としての機能を持たせることができる。
【００４７】
また、参考例に係る蓋１に、把手１０に代えてあるいは把手１０に加えて、本発明の一
実施形態の引張片１６を設けてもよく、本発明の一実施形態の蓋１４に、引張片１６に代
えてあるいは引張片１６に加えて、参考例に係る把手１０を設けてもよい。このように、
参考例の蓋１の構成と本発明の蓋１４の構成とを適宜に組み合わせることができる。
【図面の簡単な説明】
【００４８】
【図１】本発明の参考例に係る蓋の構成を概略的に示す分解斜視図である。
【図２】前記蓋の構成を概略的に示す説明図である。
【図３】前記蓋の構成を概略的に示す底面図である。
【図４】前記蓋の変形例の構成を概略的に示す斜視図である。
【図５】前記蓋の他の変形例の裏面側の構成を概略的に示す斜視図である。
【図６】本発明の一実施の形態に係る蓋の構成を概略的に示す分解斜視図である。
【図７】前記蓋の構成を概略的に示す説明図である。
【図８】前記蓋の構成を概略的に示す底面図である。
【符号の説明】
【００４９】
１    蓋
６    排水口
７    蓋本体
８    薬剤
９    薬剤収納部材